(57)【要約】【課題】通信品質を改善しても再び干渉が増加してしまうといった状況が継続することなく、無線信号が干渉している複数の無線通信端末の無線通信状況を把握して、干渉を低減するための適切な処理を行うことができる無線通信方法及び無線通信基地局を提供する。【解決手段】複数の無線通信端末２７と無線接続する無線通信基地局１０における無線通信方法であって、複数の端末２７の内、何れかの端末２７における送信電力を増加させる指示を送信する送信ステップと、他の端末２７から受信した無線信号の信号品質を示す値を取得する取得ステップと、信号品質を示す値が低下した端末２７を検出する検出ステップと、信号品質を示す値が低下した端末２７が検出された場合に、送信電力を増加させた端末２７の送信電力を減少させる電力制御ステップとを有する。【選択図】図３
2010056957.tif 000002
【特許請求の範囲】
【請求項１】
複数の無線通信端末と無線接続する無線通信基地局における無線通信方法であって、
前記複数の無線通信端末の内、何れかの無線通信端末における送信電力を増加させる指示を送信する送信ステップと、
他の無線通信端末から受信した無線信号の信号品質を示す値を取得する取得ステップと、
前記信号品質を示す値が低下した無線通信端末を検出する検出ステップと、
前記信号品質を示す値が低下した無線通信端末が検出された場合に、前記送信電力を増加させた無線通信端末の送信電力を減少させる電力制御ステップと
を有することを特徴とする無線通信方法。
【請求項２】
複数の無線通信端末と無線接続する無線通信基地局における無線通信方法であって、
前記複数の無線通信端末の内、何れかの無線通信端末における送信電力を増加させる指示を送信する送信ステップと、
他の無線通信端末から受信した無線信号の信号品質を示す値を取得する取得ステップと、
前記信号品質を示す値が低下した無線通信端末を検出する検出ステップと、
前記検出された無線通信端末に割り当てている通信チャネルにおける通信状況に基づいて、前記送信電力を増加させた無線通信端末と前記検出された無線通信端末との干渉を推定する推定ステップと、
前記推定ステップにおいて干渉を推定できた場合に、前記送信電力を増加させた無線通信端末の送信電力を減少させる電力制御ステップと
を有することを特徴とする無線通信方法。
【請求項３】
複数の無線通信端末と無線接続する無線通信基地局であって、
前記複数の無線通信端末の内、何れかの無線通信端末における送信電力を増加させる指示を送信する指示部と、
他の無線通信端末から受信した無線信号の信号品質を示す値を取得する取得部と、
前記信号品質を示す値が低下した無線通信端末を検出する検出部と、
前記信号品質を示す値が低下した無線通信端末が検出された場合に、前記送信電力を増加させた無線通信端末の送信電力を減少させる電力制御部と
を有することを特徴とする無線通信基地局。
【請求項４】
複数の無線通信端末と無線接続する無線通信基地局であって、
前記複数の無線通信端末の内、何れかの無線通信端末における送信電力を増加させる指示を送信する指示部と、
他の無線通信端末から受信した無線信号の信号品質を示す値を取得する取得部と、
前記信号品質を示す値が低下した無線通信端末を検出する検出部と、
検出された無線通信端末に割り当てている通信チャネルにおける通信状況に基づいて、前記送信電力を増加させた無線通信端末と前記検出された無線通信端末との干渉を推定する推定部と、
前記推定部において干渉を推定できた場合に、前記送信電力を増加させた無線通信端末の送信電力を減少させる電力制御部と
を有することを特徴とする無線通信基地局。
【発明の詳細な説明】
【技術分野】
【０００１】
この発明は、複数の無線通信端末と無線接続する無線通信基地局における無線通信方法、及びその無線通信基地局に関する。
【背景技術】
【０００２】
従来、無線通信基地局と無線通信端末から構成される無線通信システムが知られている。この無線通信システムにおいては、通信品質を維持するために、無線信号を送信する際の送信電力を増加させ或いは低減させる制御を行っている。このような、従来の無線通信システムにおいて、無線通信端末から無線通信基地局へ向かって（アップリンク）無線信号を送出する場合の、無線通信基地局による送信電力の制御について説明する。
図５は、従来の無線通信方法を模式的に示した説明図である。図５に示すように、無線通信端末Ｔ１〜Ｔ３は、無線通信基地局ＢＳ（Ｂａｓｅ  Ｓｔａｔｉｏｎ）と無線通信しており、無線通信基地局ＢＳと無線通信端末Ｔ１〜Ｔ３により、無線通信ネットワークが形成されている。
【０００３】
図６は、従来の無線通信方法における電力制御処理の流れを示すフローチャートである。図６に示すように、電力制御処理の動作開始により、先ず、無線通信基地局が無線通信端末から無線信号を受信する（ステップＳ１）と、無線通信基地局は一定時間毎に無線信号の品質Ｑを算出する（ステップＳ２）。次に、無線通信基地局は、算出結果に基づき、時間経過に伴う信号品質の変化を検出する。即ち、時刻ｔにおける無線信号の品質Ｑ（ｔ）と時刻ｔ−１における無線信号の品質Ｑ（ｔ−１）を比較し、品質Ｑが改善されているか否かを判定する（ステップＳ３）。
【０００４】
判定の結果、改善されている（Ｙｅｓ）場合は、無線通信基地局から無線通信端末へ、送信電力の減少を要求し（ステップＳ４）、一方、改善されていない（Ｎｏ）、即ち、品質Ｑが品質Ｑ（ｔ−１）より低い場合は、無線通信基地局から無線通信端末へ、送信電力の増加を要求する（ステップＳ５）。
【０００５】
ところで、このような、無線信号を送信する際に送信電力を増加させ或いは低減させる制御を行うと、例えば、図５に示すような無線通信システムにおいて、無線通信端末Ｔ１が無線信号を送信する際に送信電力を増加させた結果、隣接チャネルが割り当てられている無線通信端末Ｔ２では、無線通信端末Ｔ１における送信電力の増加によって干渉が生じ、そのために通信品質が劣化してしまう場合がある。この場合、無線通信基地局ＢＳは、受信する無線信号の品質を維持するために無線通信端末Ｔ２に対し送信電力の増加を要求し、無線通信端末Ｔ２は送信電力を増加するが、今度は、無線通信端末Ｔ２における送信電力の増加により、無線通信端末Ｔ１が干渉を受け、通信品質が劣化してしまうことになる。
【０００６】
図７は、無線通信端末が送信している周波数に対する電力の時間経過による変化をグラフで示す説明図である。図７に示すように、無線通信端末Ｔ１〜Ｔ３が送信している周波数に対する電力は、時刻ｔ−１から時刻ｔへの経過に際し、干渉に伴う妨害波と共に変化する。図中、実線は、時刻ｔの希望波、即ち、無線通信端末からの出力時の電力を示し、破線は、時刻ｔ−１の希望波を示し、点描部は、時刻ｔの妨害波を示し、斜線部は、時刻ｔ−１の妨害波を示す。
【０００７】
このように、従来の無線通信方法における電力制御（図６参照）では、各無線通信端末から送信される無線信号の相互の干渉により通信品質が劣化してしまうことになり、更に、この状況が継続すると、無線通信基地局は、無線通信端末の送信電力を度々増加させなければならなくなる。
そのため、無線信号の相互の干渉を低減するものとして、無線信号を送信する際の送信電力を低減することにより送信する無線信号と他の無線信号との干渉を抑制する、例えば、「送信パワ制御方法」（特許文献１参照）が提案されている。
【０００８】
この「送信パワ制御方法」においては、無線通信装置（無線通信基地局又は無線通信端末）と、その周辺に存在する他の無線通信装置が同一タイミングにて無線信号を送信している場合、干渉の影響を受けて通信品質が低下してしまうため、通信品質に対応する伝送レートの送信電力に低減することにより、通信品質を改善している。
【特許文献１】特開２００３−２９８５１０号公報
【発明の開示】
【発明が解決しようとする課題】
【０００９】
しかしながら、従来の「送信パワ制御方法」（特許文献１参照）では、いずれかの無線通信装置が送信電力を低減するのに伴い、他の無線通信装置も干渉の影響が緩和され、共に通信品質が改善される。しかし、今度は、互いに伝送レートの増加を再度行うために、送信電力が増加し再び干渉が増加してしまう、といった状況が継続することになってしまう。
また、例えば、基地局が無線通信端末の無線信号を送信する送信電力を制御するような場合、送信している無線信号が干渉している複数の無線通信端末が、同一の基地局との無線通信を行っているのか、或いは他の無線通信基地局との無線通信を行っているのかを把握していないため、干渉を低減するための適切な処理を行うことができなかった。
【００１０】
この発明の目的は、通信品質を改善しても再び干渉が増加してしまうといった状況が継続することなく、また、無線信号が干渉している複数の無線通信端末の無線通信状況を把握して、干渉を低減するための適切な処理を行うことができる無線通信方法及び無線通信基地局を提供することである。
【課題を解決するための手段】
【００１１】
上記目的を達成するため、この発明に係る無線通信方法は、複数の無線通信端末と無線接続する無線通信基地局における無線通信方法であって、前記複数の無線通信端末の内、何れかの無線通信端末における送信電力を増加させる指示を送信する送信ステップと、他の無線通信端末から受信した無線信号の信号品質を示す値を取得する取得ステップと、前記信号品質を示す値が低下した無線通信端末を検出する検出ステップと、前記信号品質を示す値が低下した無線通信端末が検出された場合に、前記送信電力を増加させた無線通信端末の送信電力を減少させる電力制御ステップとを有することを特徴としている。
【００１２】
また、この発明に係る無線通信方法は、複数の無線通信端末と無線接続する無線通信基地局における無線通信方法であって、前記複数の無線通信端末の内、何れかの無線通信端末における送信電力を増加させる指示を送信する送信ステップと、他の無線通信端末から受信した無線信号の信号品質を示す値を取得する取得ステップと、前記信号品質を示す値が低下した無線通信端末を検出する検出ステップと、前記検出された無線通信端末に割り当てている通信チャネルにおける通信状況に基づいて、前記送信電力を増加させた無線通信端末と前記検出された無線通信端末との干渉を推定する推定ステップと、前記推定ステップにおいて干渉を推定できた場合に、前記送信電力を増加させた無線通信端末の送信電力を減少させる電力制御ステップとを有することを特徴としている。
【００１３】
また、この発明に係る無線通信基地局は、複数の無線通信端末と無線接続する無線通信基地局であって、前記複数の無線通信端末の内、何れかの無線通信端末における送信電力を増加させる指示を送信する指示部と、他の無線通信端末から受信した無線信号の信号品質を示す値を取得する取得部と、前記信号品質を示す値が低下した無線通信端末を検出する検出部と、前記信号品質を示す値が低下した無線通信端末が検出された場合に、前記送信電力を増加させた無線通信端末の送信電力を減少させる電力制御部とを有することを特徴としている。
【００１４】
また、この発明に係る無線通信基地局は、複数の無線通信端末と無線接続する無線通信基地局であって、前記複数の無線通信端末の内、何れかの無線通信端末における送信電力を増加させる指示を送信する指示部と、他の無線通信端末から受信した無線信号の信号品質を示す値を取得する取得部と、前記信号品質を示す値が低下した無線通信端末を検出する検出部と、検出された無線通信端末に割り当てている通信チャネルにおける通信状況に基づいて、前記送信電力を増加させた無線通信端末と前記検出された無線通信端末との干渉を推定する推定部と、前記推定部において干渉を推定できた場合に、前記送信電力を増加させた無線通信端末の送信電力を減少させる電力制御部とを有することを特徴としている。
【発明の効果】
【００１５】
この発明によれば、無線通信端末が、現在の無線通信チャネルの割り当て状況を把握した上で、信号品質の悪い無線通信端末に対し送信電力の増加を指示した結果、無線通信チャネルを割り当てている他の無線通信端末の信号品質が低下し始めた場合には、送信電力の増加を指示した無線通信端末の送信電力を減少させることで、他の無線通信端末への干渉を抑制することができるので、無線通信システム全体における通信品質を安定化させることができる。
【発明を実施するための最良の形態】
【００１６】
以下、この発明を実施するための最良の形態について図面を参照して説明する。
図１は、この発明の一実施の形態に係る無線通信基地局の概略構成を示すブロック図である。図２は、この発明の一実施の形態に係る無線通信端末の概略構成を示すブロック図である。
【００１７】
図１に示すように、無線通信基地局（基地局）１０は、アンテナ１１ａが接続された送受切替スイッチ（ＳＷ）部１１、無線送信部１２、電力制御部１３、データ生成部１４、無線受信部１５、品質計算部１６、干渉判定部１７、及び基地局通信制御部１８を有しており、基地局通信制御部１８は、周波数配置管理部１９、空間多重多元接続（Ｓｐａｔｉａｌ  Ｄｉｖｉｓｉｏｎ  Ｍｕｌｔｉｐｌｅ  Ａｃｃｅｓｓ：ＳＤＭＡ）管理部２０、上り電力制御部２１、信号品質管理部２２、変調方式管理部２３、記憶部２４、比較部２５、及び制御部２６を有している。
【００１８】
図２に示すように、無線通信端末（端末）２７は、アンテナ２８ａが接続された送受切替スイッチ（ＳＷ）部２８、無線送信部２９、電力制御部３０、データ生成部３１、無線受信部３２、品質計算部３３、及び端末通信制御部３５を有しており、端末通信制御部３５は、送信電力記録部３６、スループット管理部３７、品質通知管理部３８、変調方式管理部３９、記憶部４０、比較部４１、及び制御部４２を有している。
上記構成を有する基地局１０（図１参照）と端末２７（図２参照）により無線通信システムが構成され、基地局１０と端末２７が無線接続されることにより無線通信ネットワークが形成される。
【００１９】
基地局１０において、送受切替スイッチ（ＳＷ）部１１は、送信時には、アンテナ１１ａと無線送信部１２を接続し、受信時には、アンテナ１１ａと無線受信部１５を接続するための切り替えを行い、無線送信部１２は、端末２７に、無線信号（送信電力の増加または下げさせる制御指示信号や通常のアプリケーション等におけるデータ）を送信する。電力制御部１３は、制御部２６による指示に基づいて、端末２７へ無線信号を送信するとき（ダウンリンク）の送信電力を制御し、データ生成部１４は、端末２７に送信する送信データを生成する。
【００２０】
無線受信部１５は、端末２７から送信された無線信号（データ）の受信処理を行い、品質計算部１６は、無線受信部１５が受信した無線信号から、信号品質を示す値、即ち、Ｑ（ｔ）を計算し取得する。干渉判定部１７は、品質計算部１６が取得した信号品質に基づき、送信電力の制御に伴う端末間の干渉が生じているか否かを判定する。基地局通信制御部１８は、干渉判定部１７からの判定結果に基づき、基地局１０から送信する無線信号の送信状態を制御する制御情報を、電力制御部１３及びデータ生成部１４へ出力する。
【００２１】
基地局通信制御部１８において、周波数配置管理部１９は、基地局１０が端末２７に対して、割り当て可能な無線通信チャネルの割り当て状況を管理し、その状況を把握する。ＳＤＭＡ管理部２０は、無線通信システムがＳＤＭＡを採用している場合に、各チャネルにおける空間多重数及び端末２７へのチャネルの割り当て状況を管理し、その状況を把握する。
上り電力制御部２１は、端末２７が基地局１０へ無線信号を送信する際の送信電力を、品質計算部１６が取得した信号品質を示す値を利用して制御する。
【００２２】
信号品質管理部２２は、少なくとも直前に基地局１０が取得した信号品質を示す値を記憶して管理し、変調方式管理部２３は、無線通信を行っている端末２７との通信時における、送受信するデータを変調及び復調する際の変調方式を管理する。記憶部２４は、各端末２７が基地局１０に対して無線信号を送信する際の送信電力の状態やスループットの状態を記憶しておく。
比較部２５は、信号品質管理部２２に記憶している直前の信号品質を示す値と、取得した信号品質を示す値とを比較する。記憶部２４及び比較部２５は、送信電力制御を行う際に機能する。
【００２３】
制御部２６は、基地局１０における各構成部の動作を制御する。端末２７の送信電力制御を行う場合、端末２７に対して無線信号を送信する際の送信電力の制御を行い、制御指示信号を送信する。
【００２４】
端末２７（図２参照）において、送受切替スイッチ（ＳＷ）部２８は、送信時には、アンテナ２８ａと無線送信部２９を接続し、受信時には、アンテナ２８ａと無線受信部３２を接続するための切り替えを行い、無線送信部２９は、基地局１０に、無線信号（送信電力の増加または下げさせる制御指示信号や通常のアプリケーション等におけるデータ）を送信する。電力制御部３０は、制御部４２による指示に基づいて、基地局１０へ無線信号を送信する（アップリンク）ときの送信電力を制御し、データ生成部３１は、基地局１０に送信する送信データを生成する。
【００２５】
無線受信部３２は、基地局１０から送信された無線信号（データ）の受信処理を行い、品質計算部３３は、無線受信部３２が受信した無線信号から、ダウンリンクにおける信号品質を示す値を計算し取得する。
端末通信制御部３５は、端末２７から送信する無線通信信号の送信状態を制御する制御情報を、電力制御部３０及びデータ生成部３１へ出力する。
【００２６】
端末通信制御部３５において、送信電力記録部３６は、直前に制御した送信電力の値を記録しておき、スループット管理部３７は、基地局１０から取得した信号品質を示す値に基づくスループットの値を記憶し、管理する。品質通知管理部３８は、基地局１０から取得したアップリンクにおける信号品質を示す値、即ち、Ｑ（ｔ）を取得して管理し、変調方式管理部３９は、無線通信を行っている基地局１０との通信時における、送受信するデータを変調及び復調する際の変調方式を管理する。記憶部４０は、基地局１０に対して送信電力の制御を実行させる直前の送信電力の状態やスループットの状態を記憶しておく。
【００２７】
比較部４１は、品質通知管理部３８が管理している直前の信号品質を示す値と、取得した信号品質を示す値とを比較する。制御部２６は、端末２７における各構成部の動作を制御すると共に、無線信号を送信する際の送信電力を増加するか低減するかを判定する。
【００２８】
上記構成を有する端末２７（図２参照）において、アンテナ２８ａを介して端末２７に入力した受信信号は、送受切り替えスイッチ（ＳＷ）２８により経路を切り替えられ、無線受信部３２に送られる。無線受信機３２において、受信信号に対し必要な信号の抽出と増幅が行われ、復調が実施される。復調された信号は、品質計算部３３において受信信号の品質の推定が行われる。
【００２９】
端末通信制御部３５において、スループット管理部３７は、検出結果に基づき、無線通信システム全体のスループットを管理する。
また、端末２７は、計算した信号品質をアンテナ２８ａを介して基地局１０へレポートし、送信電力記録部３６において自局の送信電力を時系列で記録すると共に、変調方式管理部３９において変調方式を管理する。端末２７から基地局１０への上り信号は、データ生成部３１において変調データが生成された後、電力制御部３０において送信電力が制御され、無線送信部２９において所望の周波数及び電力に増幅され、その後、送受切り替えスイッチ部２８を経て、アンテナ２８ａを介して空間に放出される。
【００３０】
このように、複数の端末２７と無線接続する基地局１０は、複数の端末２７の内、何れかの端末２７における送信電力を増加させる指示を送信する制御部２６と、他の端末２７から受信した無線信号の信号品質を示す値を取得する品質計算部１６と、信号品質を示す値が低下した端末２７を検出する基地局通信制御部１８と、信号品質を示す値が低下した端末２７が検出された場合に、送信電力を増加させた端末２７の送信電力を減少させる上り電力制御部２１とを有している。
【００３１】
また、基地局１０は、制御部２６と、品質計算部１６と、基地局通信制御部１８と、基地局通信制御部１８により検出された端末２７に割り当てている通信チャネルにおける通信状況、例えば、受信する無線信号の電界強度に基づいて、送信電力を増加させた端末２７と検出された端末２７との干渉を推定する干渉判定部（推定部）１７と、干渉判定部１７において干渉を推定できた場合に、送信電力を増加させた端末２７の送信電力を減少させる上り電力制御部２１とを有している。
【００３２】
図３は、図１に示す基地局１０において送信電力を変更する制御動作の流れを示すフローチャートである。図３に示すように、基地局１０の制御動作開始により、先ず、基地局１０は、端末２７からの送信信号を受信する（ステップＳ１０１）と、受信した時刻ｔにおける受信信号の信号品質Ｑ（ｔ）を計算し（ステップＳ１０２）、更に、周波数の使用状態を監視する（ステップＳ１０３）。
【００３３】
その後、基地局１０は、時刻ｔにおける受信品質Ｑ（ｔ）と時刻ｔ−１における受信品質Ｑ（ｔ−１）とを比較し、受信品質Ｑ（ｔ）より受信品質Ｑ（ｔ−１）の方が良好である（Ｑ（ｔ）＜Ｑ（ｔ−１））、即ち、受信品質が改善されていないか否かを判定する（ステップＳ１０４）。判定の結果、受信品質Ｑ（ｔ）より受信品質Ｑ（ｔ−１）の方が良好でない（Ｎｏ）、即ち、受信品質が改善されている場合、ステップＳ１０１へ戻る。
一方、ステップＳ１０４における判定の結果、受信品質Ｑ（ｔ）より受信品質Ｑ（ｔ−１）の方が良好である（Ｙｅｓ）、即ち、受信品質が改善されておらず信号品質を示す値が低下している場合、基地局１０は、端末２７に対し送信電力の増加を要求する（ステップＳ１０５）。
【００３４】
端末２７が送信電力を増加した後、基地局１０は、端末２７が送信電力を増加したことによって干渉が生じ、その干渉による他局への妨害が増加したか否かを判定する（ステップＳ１０６）。つまり、基地局１０は、何れかの無線通信端末における送信電力を増加させる指示を送信した後、送信電力を増加させた端末ではない他の端末から受信した無線信号の信号品質を示す値を取得し、取得した信号品質を示す値が低下した、即ち、干渉による妨害を受けた端末を検出する。
判定の結果、干渉による他局への妨害が増加した（Ｙｅｓ）場合、基地局１０は、送信電力を増加した端末２７に対し、送信電力を減少することを要求する（ステップＳ１０７）。その後、処理を終了する。一方、ステップＳ１０６における判定の結果、干渉による他局への妨害が増加していない（Ｎｏ）場合、処理を終了する。
【００３５】
つまり、この発明に係る複数の無線通信端末と無線接続する無線通信基地局における無線通信方法は、複数の無線通信端末の内、何れかの無線通信端末における送信電力を増加させる指示を送信する送信ステップと、他の無線通信端末から受信した無線信号の信号品質を示す値を取得する取得ステップと、信号品質を示す値が低下した無線通信端末を検出する検出ステップと、信号品質を示す値が低下した無線通信端末が検出された場合に、送信電力を増加させた無線通信端末の送信電力を減少させる電力制御ステップとを有している。
【００３６】
また、複数の無線通信端末と無線接続する無線通信基地局における無線通信方法は、複数の無線通信端末の内、何れかの無線通信端末における送信電力を増加させる指示を送信する送信ステップと、他の無線通信端末から受信した無線信号の信号品質を示す値を取得する取得ステップと、信号品質を示す値が低下した無線通信端末を検出する検出ステップと、検出された無線通信端末に割り当てている通信チャネルにおける通信状況に基づいて、送信電力を増加させた無線通信端末と検出された無線通信端末との干渉を推定する推定ステップと、推定ステップにおいて干渉を推定できた場合に、送信電力を増加させた無線通信端末の送信電力を減少させる電力制御ステップとを有している。
【００３７】
ここで、他の無線通信端末から受信した無線信号の信号品質を示す値とは、例えば、信号対雑音比（Ｓｉｇｎａｌ−ｔｏ−Ｎｏｉｓｅ  Ｒａｔｉｏ：ＳＮＲ）等である。
また、送信電力を増加させた無線通信端末の送信電力を減少させるのは、何れかの無線通信端末の送信電力を増加させたことにより、他の無線通信端末における信号品質を示す値が低下したので、干渉が生じたと推定し、送信電力を増加させた無線通信端末の送信電力を減少させて干渉を生じさせないようにするためである。
【００３８】
また、推定ステップにおいて推定する干渉とは、無線通信基地局が通信チャネルを割り当てている無線通信端末間における干渉であり、
（１）隣接チャネルにおける干渉：割り当て可能な通信チャネル内の隣り合う通信チャネル間の干渉
（２）運用帯域内におけるチャネル干渉：割り当て可能な通信チャネル内の隣り合っていない、何れか２以上の通信チャネル間の干渉
（３）同一の通信チャネルにおける干渉とは、ＳＤＭＡにおける同一（空間）チャネルにおける干渉や他の無線基地局と接続している無線通信端末が使用している、少なくとも同一周波数のチャネルにおける干渉
となる。
【００３９】
（１），（２）では、通信チャネルで受信した電界強度に基づく無線信号のレベルと、その無線信号に含まれる希望波（妨害波）のレベルを把握することで、その通信チャネルにおける干渉が生じているかいないかを把握することができ、更に、他の通信チャネルにおいて、同様な把握を行うことで、割り当てた通信チャネルを使用している無線通信端末間の干渉を推定することができる。
【００４０】
（３）では、通信チャネルにおいて受信した無線信号に、自分が受信したい希望波以外に、同一（空間）チャネルを割り当てた他の無線通信端末の無線信号や、他の基地局又は当該他の基地局に接続する無線通信端末から送信される無線信号が含まれているか否かを判定する。具体的には、各無線信号における制御信号に含まれているｂｓｃｃ（基地局が無線通信を行う際に、自身が送受信するデータであることを認識するための識別情報）を見ることで、希望波か、他の基地局又は他の基地局に接続する無線通信端末からの妨害波かを判定している。そして、妨害波が含まれていない場合には、自身が割り当てている同一のチャネル（空間チャネル）を割り当てた無線通信端末間での干渉と判定する。
【００４１】
次に、無線通信基地局における推定ステップにおいて、他の無線通信基地局、又は当該他の無線通信基地局と接続している無線通信端末が送信する無線信号との干渉が生じている無線通信端末を推定する処理について説明する。
通信チャネルにおいて受信した無線信号に、自分が受信したい希望波以外に、他の基地局又は当該他の基地局から送信される無線信号が含まれているか否かを判定する。具体的には、各無線信号における制御信号に含まれているｂｓｃｃ（基地局が無線通信を行う際に、自身が送受信するデータであることを認識するための識別情報）を見ることで、希望波か妨害波かを判定している。そして、無線通信基地局自身が割り当てた無線通信端末間での干渉か否かを判定する。
【００４２】
上述した干渉の検出については、以下のようにして対応する。
（１）同一チャネルによる干渉検出
・ｂｓｃｃによる希望波判定→該当しないｂｓｃｃであれば他の基地局又は他の基地局に接続する無線通信端末からの妨害波と判定
・Ｓｐａｔｉａｌ数→ＳｐａｔｉａｌしていればＳＤＭＡにおける同一干渉と判定
・ＳＩＮＲ量→品質管理による干渉の有無を判定
【００４３】
（２）隣接・運用帯域内による干渉検出
・自局が管理する帯域において割り当てているチャネルか否か→接続していればチャネルを特定可
・各チャネルのＤＳＳＩ検出→希望波か否か
（３）他局との干渉検出
・自局が管理する帯域において割り当てているチャネルか否か
・各基地局を収容するネットワークにおいてスループットの増減を検出
【００４４】
図４は、基地局と基地局に接続された複数の端末における無線通信状態を模式的に示す説明図である。図４に示すように、無線通信端末Ｔ１〜Ｔ３は、無線通信基地局ＢＳと無線通信しており、無線通信基地局ＢＳと無線通信端末Ｔ１〜Ｔ３により、無線通信ネットワークが形成されている。ここで、無線通信端末Ｔ３が、送信電力を制御する端末となる。
【００４５】
先ず、無線通信端末Ｔ３が、無線通信基地局ＢＳと接続した後の無線通信信号の信号品質を示す値に基づいて、送信電力の制御を行う。このとき、図４に示すような状態では、無線通信基地局ＢＳと接続した無線通信端末Ｔ３が無線通信を行うことで他の無線通信端末Ｔ１，Ｔ２が干渉を受けてしまい、無線通信端末Ｔ１，Ｔ２の通信品質が不安定になり、更に、無線通信システム全体の通信品質の不安定も招いてしまう。
【００４６】
そのため、無線通信端末Ｔ３は、無線通信基地局ＢＳと接続して無線通信を行ったことにより、他の無線通信端末Ｔ１，Ｔ２に対して干渉を生じさせている可能性があると推定し、送信電力を低減する制御を行う（図３参照）。つまり、送信電力の増加を指示した無線通信端末の送信電力を減少させることで、他の無線通信端末への干渉を抑制することができるので、無線通信システム全体における通信品質を安定化させることができる。
【００４７】
このように、この発明に係る無線通信方法は、無線通信基地局ＢＳが無線通信端末のアップリンク（上り方向回線）における送信電力を上げさせたことで、端末間相互における干渉が増加し、無線通信システム全体の通信品質が低下している（改善していない）と判定した場合、無線通信端末のアップリンクにおける送信電力を減少させることで、無線通信システム全体の通信品質を改善し安定化させる。
なお、本発明は、上述した実施の形態により説明したが、この実施の形態に限定されるものではない。従って、本発明の趣旨を逸脱することなく変更態様として実施するものも含むものである。
【図面の簡単な説明】
【００４８】
【図１】この発明の一実施の形態に係る無線通信基地局の概略構成を示すブロック図である。
【図２】この発明の一実施の形態に係る無線通信端末の概略構成を示すブロック図である。
【図３】図１に示す基地局において送信電力を変更する制御動作の流れを示すフローチャートである。
【図４】基地局と基地局に接続された複数の端末における無線通信状態を模式的に示す説明図である。
【図５】従来の無線通信方法を模式的に示した説明図である。
【図６】従来の無線通信方法における電力制御処理の流れを示すフローチャートである。
【図７】無線通信端末が送信している周波数に対する電力の時間経過による変化をグラフで示す説明図である。
【符号の説明】
【００４９】
１０  無線通信基地局
１１ａ，２８ａ  アンテナ
１１，２８  送受切替スイッチ部
１２，２９  無線送信部
１３，３０  電力制御部
１４，３１  データ生成部
１５，３２  無線受信部
１６，３３  品質計算部
１７  干渉判定部
１８  基地局通信制御部
１９  周波数配置管理部
２０  空間多重多元接続管理部
２１  上り電力制御部
２２  信号品質管理部
２３，３９  変調方式管理部
２４，４０  記憶部
２５，４１  比較部
２６，４２  制御部
２７  無線通信端末
３５  端末通信制御部
３６  送信電力記録部
３７  スループット管理部
３８  品質通知管理部
ＢＳ  基地局
Ｔ１，Ｔ２，Ｔ３  無線通信端末
【図１】
2010056957.tif 000003
【図２】
2010056957.tif 000004
【図３】
2010056957.tif 000005
【図４】
2010056957.tif 000006
【図５】
2010056957.tif 000007
【図６】
2010056957.tif 000008
【図７】
2010056957.tif 000009